(57)【要約】【課題】房状フリルの付いたスカート、ワンピース、ブラウス等の製造に用いる房状フリル付き織布を提供する。【解決手段】ベース布部１と、房状フリル２と、接結部３と、連結部４とを備え、房状フリル２は接結部３の終端から延在させてベース布部１と二重の関係になるように必要な段数だけベース布部１の表側に設けられ、接結部３はベース布部１とその上に織り重ねられ、連結部４は房状フリル２の接結部３と反対側の先端から延在しベース布部１を貫通して隣接する次段の接結部３に連結するように設けられる構成とし、連結部４を切断することで、ベース布部１上に先端を切り離した房状フリルを形成できるようにした。【選択図】      図１
2014218752.tif 000002
【特許請求の範囲】
【請求項１】
ベース布部と、房状フリルと、接結部と、連結部とを備え、
前記房状フリルは、縦糸のみを布幅方向に多数本並べて形成され、接結部の終端から延在させてベース布部１と二重の関係になるように必要な段数だけベース布部の表側に設けられ、
前記接結部は前記ベース布部とその上に織り重ねられた布部からなり、
前記連結部は前記房状フリルの接結部と反対側の先端から延在し、前記ベース布部を貫通して隣接する次段の接結部に連結するように設けられていることを特徴とする房状フリル付き織布。
【請求項２】
請求項１に記載の房状フリル付き織布において、
前記房状フリルは、複数本の縦糸を撚り合わせた双糸で形成されていることを特徴とする房状フリル付き織布。
【請求項３】
ベース布部と、上房状フリルと、下房状フリルと、第１の接結部と、第２の接結部と、前記上房状フリルから延在させた連結部と、前記下房状フリルから延在させた連結部とを備え、
前記上房状フリルは縦糸のみを布幅方向に多数本並べて形成され、前記第１の接結部の終端から延在させて前記ベース布部とこのベース布部と二重の関係になるように必要な段数だけ前記ベース布部の表側に設けられ、
前記上房状フリルから延在させた前記連結部は、前記上房状フリルの前記第１の接結部と反対側の先端から伸び、前記ベース布部を貫通して隣接する次段の第１の接結部の始端に連結するように設けられ、
前記下房状フリルは縦糸のみを布幅方向に多数本並べて形成され、前記第２の接結部の終端から延在させて前記ベース布部と分離するように必要な段数だけ前記ベース布部と前記上房状フリルの間に設けられ、かつ前記上房状フリルの下側から前段の下房状フリル及び上房状フリルを突き抜けて隣接する次段の第１の接結部及び第２の接結部を覆う長さで、更に前記次段の上房状フリル及び下房状フリルを上から下へ突き抜けるように設けられ、
前記下房状フリルから延在させた前記連結部は、前記下房状フリルの第２の接結部と反対側の先端から伸び、次段のベース布部を貫通して隣接する更に次段の第１の接結部の始端に連結するように設けられ、
前記第１の接結部は前記ベース布部を一番下にしてその上に重ね織りされた２枚の布部からなり、
前記第１の接結部に続く前記第２の接結部は前記ベース布部とその上に織り重ねられた布部からなることを特徴とする房状フリル付き織布。
【請求項４】
請求項３に記載の房状フリル付き織布において、
前記上房状フリルと下房状フリルは、それぞれ複数本の縦糸を撚り合わせた双糸で形成されていることを特徴とする房状フリル付き織布。
【発明の詳細な説明】
【技術分野】
【０００１】
本発明は、房状フリルの付いたスカート、ワンピース、ブラウス等の製造に用いる房状フリル付き織布に関する。
【背景技術】
【０００２】
房の付いた従来の織布として、例えば下記特許文献１に示されるマフラーがある。
このマフラーは、経糸（縦糸）と緯糸（横糸）を平織りした本体の長手方向の端部に縦糸による縦房を設けている。
【先行技術文献】
【特許文献】
【０００３】
【特許文献１】特開２０１０−１１１９８０号公報
【発明の概要】
【発明が解決しようとする課題】
【０００４】
しかしながら、上述した従来の技術においては、マフラーのみにしか利用できず、スカート、ワンピース、ブラウス等の製造に用いる織布に房状フリルを付けることはできないという問題を有している。
本発明は、このような問題を解決し、房状フリルの付いたスカート、ワンピース、ブラウス等の製造に用いることができる房状フリル付き織布を提供することを課題とする。
【課題を解決するための手段】
【０００５】
そのため、本発明の房状フリル付き織布は、ベース布部と、房状フリルと、接結部と、連結部を備え、前記房状フリルは、縦糸のみを布幅方向に多数本並べて形成され、接結部の終端から延在させてベース布部と二重の関係になるように必要な段数だけベース布部の表側に設けられ、前記接結部は前記ベース布部とその上に織り重ねられた布部からなり、前記連結部は前記房状フリルの接結部と反対側の先端から延在し、前記ベース布部を貫通して隣接する次段の接結部に連結するように設けられていることを特徴とする。
【発明の効果】
【０００６】
このようにした本発明によれば、連結部を切断することで、ベース布部上に先端を切り離した房状フリルを形成できるので、房状フリルの付いたスカート、ワンピース、ブラウス等の製造に用いる房状フリル付き織布を提供することができるという効果が得られる。
【図面の簡単な説明】
【０００７】
【図１】第１の実施例を示す要部側面図。
【図２】スカートに適用した房状フリルの例を示す正面図。
【図３】第２の実施例を示す要部側面図。
【発明を実施するための形態】
【０００８】
以下、図面を参照して本発明による房状フリル付き織布の実施例を説明する。
【実施例１】
【０００９】
図１は第１の実施例を示す一部分側面図である。
図１において１はベース布部、２は房状フリル、３は接結部、４は連結部である。これらベース布部１、房状フリル２、接結部３、及び連結部４は、ジャカード織機やドビー織機等の織布製造装置により連続的かつ一体的に織り上げられている。
ここで、ベース布部１はスカート、ワンピース、ブラウス等のベースとなる布部であり、普通糸による縦糸（経糸）と横糸（緯糸）により織られるものである。
【００１０】
房状フリル２は飾りのフリルとなるもので、縦糸のみを布幅方向に多数本並べて形成されている。この房状フリル２の糸としては複数本の糸を撚り合わせた双糸で形成されていて、糸と糸とが、それぞれ同方向に回転するように撚り合わせてあるため、切断されても、それぞれの糸の接触部分が同方向に回転しようとする摩擦力により解けない。そして、この房状フリル２は、ベース布部１と二重の関係になるように必要な段数だけベース布部１の表側に設けられる。
【００１１】
接結部３はベース布部１の上にもう一枚の布部を二重に重ね織りした部分で、上側の布部の縦糸は双糸が使用され、これにより房状フリル２は接結部３の終端から延在するように形成されている。
【００１２】
また、この接結部３によりベース布部１にはギャザーを作り出すことが可能である。ギャザーを作る場合、接結部３の横糸に収縮性を有するウレタン糸を用い、このウレタン糸は伸ばして糊で固め、横糸として織り込んだ後、糊を洗い落とすことで接結部３を収縮させ、これによりベース布部１の接結部３側の部分に均等な間隔でギャザーを作り出す。
【００１３】
連結部４は房状フリル２の接結部３と反対側の端部（以下先端）から伸びるように設けられた部分で、通常の縦糸のみで作られ、ベース布部１を貫通して隣接する次段（下段）の接結部３の始端に連結するように設けられており、ベース布部１の裏側で弛みを持たせて鋏等の切断具が差し込めるようにしている。
【００１４】
このように織り上げた房状フリル付き織布は、ベース布部１の裏側で弛みを持たせている連結部４を鋏等の切断具により切断する。切断後、ベース布部１の裏側の連結部４は切り離したまま放置し、房状フリル２を持ち上げると、房状フリル２の先端はベース布部１から離れて完成品となる。このように、ベース布部１の裏側で切断するので、房状フリル２を持ち上げた後の残りの部分は切り離したまま後処理も必要なくベース布部１の裏側に隠れ（連結部４の残部）見苦しくない。
【００１５】
図２はスカートに適用した房状フリルの例を示す正面図で、同図（ａ）は直線的な段状柄、同図（ｂ）は市松柄、同図（ｃ）はヘリンボン柄であり、この他にも任意の柄の房状フリル２を作成することが可能である。
【００１６】
以上説明したように第１の実施例による房状フリル付き織布は、ベース布部１と、房状フリル２と、接結部３と、連結部４を備え、房状フリル２は接結部３の終端から延在させてベース布部１と二重の関係になるように必要な段数だけベース布部１の表側に設けられる。
【００１７】
接結部３はベース布部１とその上に織り重ねられた布部からなり、連結部４は房状フリル２の接結部３と反対側の先端から延在しベース布部１を貫通して隣接する次段の接結部３に連結するように設けられる構成としている。
【００１８】
そのため連結部４を切断することで、ベース布部１上に先端を切り離した房状フリルを形成できるので、房状フリルの付いたスカート、ワンピース、ブラウス等の製造に用いる房状フリル付き織布を提供することができるという効果が得られる。
【００１９】
また、房状フリル２、接結部３、及び連結部４は、例えばスカートを製造する場合、スカートのウエストから裾までのベース布部１をジャカード織機やドビー織機等の織布製造装置により一連に織り上げる過程でベース布部１と共に織り込むことができるので、容易に房状フリル付き織布を製造することができるという効果も得られる。
【実施例２】
【００２０】
図３は第２の実施例を示す房状フリル付き織布の側面図である。
この第２の実施例では、主要部となる布地部分としてベース布部１と、飾りのフリルとなる上房状フリル２ａ及び下房状フリル２ｂと、第１の接結部３ａ及び第２の接結部３ｂと、連結部４ａ及び４ｂがジャカード織機やドビー織機等の織布製造装置により連続的かつ一体的に織り上げられている。
【００２１】
ここで、ベース布部１はスカート、ワンピース、ブラウス等のベースとなる布部であり、普通糸による縦糸と横糸により織られるものである。
【００２２】
上房状フリル２ａは飾りのフリルとなるもので、経糸のみを布幅方向に多数本並べて形成されている。この上房状フリル２ａの糸としては、第１の実施例の房状フリル２と同様に複数本の糸を撚り合わせた双糸が用いられ、そして、上房状フリル２ａはベース布部１と分離するように必要な段数だけベース布部１の表側に設けられている。
【００２３】
連結部４ａは上房状フリル２ａの第１の接結部３ａと反対側の端部（以下先端）から伸びるように設けられた部分で、通常の縦糸のみで作られている。この連結部４ａはベース布部１を貫通して隣接する次段（下段）の第１の接結部３ａの始端に連結するように設けられており、ベース布部１の裏側で弛みを持たせて鋏等の切断具が差し込めるようにしている。
【００２４】
下房状フリル２ｂは上房状フリル２ａと同様に飾りのフリルとなるもので、縦糸のみを布幅方向に多数本並べて形成されている。この下房状フリル２ｂの糸も、第１の実施例の房状フリル２と同様に複数本の糸を撚り合わせた双糸が用いられている。この下房状フリル２ｂは、ベース布部１と分離するように必要な段数だけベース布部１と上房状フリル２ａの間に設けられている。
【００２５】
そして、この下房状フリル２ｂは、上房状フリル２ａの下側から前段の下房状フリル２ｂ及び上房状フリル２ａを突き抜けて隣接する次段（下段）の第１の接結部３ａ及び第２の接結部３ｂを覆う長さで、更に次段の上房状フリル２ａ及び下房状フリル２ｂを上から下へ突き抜けるように設けられている。
【００２６】
連結部４ｂは下房状フリル２ｂの第２の接結部３ｂと反対側の端部（以下先端）から伸びるように設けられた部分で、通常の縦糸のみで作られている。この連結部４ｂは次段のベース布部１を貫通して隣接する更に次段（下段）の第１の接結部３ａの始端に連結するように設けられており、ベース布部１の裏側で弛みを持たせて鋏等の切断具が差し込めるようにしている。
【００２７】
第１の接結部３ａは、ベース布部１を一番下にしてその上に２枚の布を重ね織りし、その三重になっている織物組織が互いに分離しないように、上下の縦糸と横糸を結合させた構造を有している。この第１の接結部３ａの最上部の布部の縦糸は双糸が使用され、これにより上房状フリル２ａは第１の接結部３ａの終端から延在するように形成されている。
【００２８】
第１の接結部３ａに続く第２の接結部３ｂはベース布部１上にもう一枚の布部を二重に重ね織りした部分で、その二重になっている織物組織が互いに分離しないように、上下の縦糸と横糸を結合させた構造を有している。つまり、二重の第２の接結部３ｂは三重の第１の接結部３ａの下２層を延長させたかたちで織られている。この第２の接結部３ｂの上側の布部の縦糸は双糸が使用され、これにより下房状フリル２ｂは第２の接結部３ｂの終端から延在するように形成されている。
【００２９】
このように織り上げた房状フリル付き織布は、ベース布部１の裏側で弛みを持たせている連結部４ａ、４ｂを鋏等の切断具により切断する。切断後、ベース布部１の裏側の連結部４ａ、４ｂを除去し、上房状フリル２ａと下房状フリル２ｂを持ち上げると、上房状フリル２ａと下房状フリル２ｂの先端はベース布部１から離れて完成品となる。
【００３０】
この場合、上房状フリル２ａの下に下房状フリル２ｂが重なるが、下房状フリル２ｂは上房状フリル２ａより長く、第１の接結部３ａに続く第２の接結部３ｂを覆う長さを有しているため、フリル完成後の製品では第１の接結部３ａと第２の接結部３ｂが下房状フリル２ｂの下に隠れることになる。
【００３１】
なお、上房状フリル２ａと下房状フリル２ｂの柄は、第１の実施例の房状フリル２と同様に直線的な段状柄、市松柄、ヘリンボン柄に作成することができ、更に第１の実施例の房状フリル２と同様に任意の柄に作成することが可能である。
【００３２】
以上説明したように第２の実施例による房状フリル付き織布は、ベース布部１と、上房状フリル２ａ及び下房状フリル２ｂと、第１の接結部３ａ及び第２の接結部３ｂと、連結部４ａ及び４ｂを備え、上房状フリル２ａは第１の接結部３ａの終端から延在させてベース布部１とこのベース布部１と二重の関係になるように必要な段数だけベース布部１の表側に設けられる。
【００３３】
連結部４ａは上房状フリル２ａの第１の接結部３ａと反対側の先端から伸び、ベース布部１を貫通して隣接する次段の第１の接結部３ａの始端に連結するように設けられる。下房状フリル２ｂは第２の接結部３ｂの終端から延在させてベース布部１と分離するように必要な段数だけベース布部１と上房状フリル２ａの間に設けられ、かつ上房状フリル２ａの下側から前段の下房状フリル２ｂ及び上房状フリル２ａを突き抜けて隣接する次段の第１の接結部３ａ及び第２の接結部３ｂを覆う長さで、更に次段の上房状フリル２ａ及び下房状フリル２ｂを上から下へ突き抜けるように設けられる。
【００３４】
連結部４ｂは下房状フリル２ｂの第２の接結部３ｂと反対側の先端から伸び、次段のベース布部１を貫通して隣接する更に次段の第１の接結部３ａの始端に連結するように設けられる。更に、第１の接結部３ａはベース布部１を一番下にしてその上に重ね織りされた２枚の布部からなり、第１の接結部３ａに続く第２の接結部３ｂはベース布部１とその上に織り重ねられた布部からなる構成としている。
【００３５】
そのため、連結部４、４ｂを切断することで、ベース布部１上に先端を切り離した上下二重の上房状フリル２ａ及び下房状フリル２ｂを形成できるので、房状フリルの付いたスカート、ワンピース、ブラウス等の製造に用いる房状フリル付き織布を提供することができるという効果が得られる。
【００３６】
また、下房状フリル２ｂは上房状フリル２ａより長く、第１の接結部３ａとそれに続く第２の接結部３ｂを覆う長さを有しているため、フリル完成後の製品では第１の接結部３ａと第２の接結部３ｂが下房状フリル２ｂの下に隠れることになり、そのため、より美観性を向上させることができるという効果が得られる。
【００３７】
また、上房状フリル２ａ、下房状フリル２ｂ、第１の接結部３ａ、第２の接結部３ｂ、及び連結部４ａと４ｂは、例えばスカートを製造する場合、スカートのウエストから裾までのベース布部１をジャカード織機やドビー織機等の織布製造装置により一連に織り上げる過程でベース布部１と共に織り込むことができるので、容易に房状フリル付き織布を製造することができるという効果も得られる。
【符号の説明】
【００３８】
１  ・・・ベース布部
２  ・・・房状フリル
２ａ・・・上房状フリル
２ｂ・・・下房状フリル
３  ・・・接結部
３ａ・・・第１の接結部
３ｂ・・・第２の接結部
４  ・・・連結部
４ａ・・・連結部
４ｂ・・・連結部
【図１】
2014218752.tif 000003
【図２】
2014218752.tif 000004
【図３】
2014218752.tif 000005